(57)【要約】【課題】使用者にとって直感的な操作で使いやすい表示装置を提供することを目的とする。【解決手段】上記課題を解決するために本発明に係る表示装置は、表示部と、画像を記憶する記憶部と、使用者による操作を受け付ける第一の操作部と、第一のモードと、第二のモードとを選択するモード選択部と、第一のモードのときは、記憶部に記憶された画像を表示部に表示するよう制御し、第一の操作部が操作を受け付けると、表示部に表示された画像を拡大／縮小表示するよう制御する第一の表示制御部と、第二のモードのときは、地図を表示部に表示するよう制御し、第一の操作部が操作を受け付けたときは、表示部に表示された地図の縮尺を大／小表示するよう制御する第二の表示制御部と、を備える。【選択図】図１
2011197056.tif 000002
【特許請求の範囲】
【請求項１】
表示部と、
画像を取得する取得部と、
使用者による操作を受け付ける第一の操作部と、
第一のモードと、第二のモードとを選択するモード選択部と、
第一のモードのときは、前記取得した画像を前記表示部に表示するよう制御し、前記第一の操作部が操作を受け付けると、前記表示部に表示された画像を拡大又は縮小表示するよう制御する第一の表示制御部と、
第二のモードのときは、地図を前記表示部に表示するよう制御し、前記第一の操作部が操作を受け付けたときは、前記表示部に表示された地図の縮尺を拡大又は縮小するよう制御する第二の表示制御部と、
を備えた表示装置。
【請求項２】
使用者による操作を受け付け、方向に関する情報を出力する第二の操作部を更に備え、
前記第一の表示制御部は、前記第二の操作部が操作を受け付けると、前記表示部に表示された画像を前記方向に関する情報に従って移動させて表示するよう制御し、
前記第二の表示制御部は、前記第二の操作部が操作を受け付けると、前記表示部に表示された地図画像を前記方向に関する情報に従って移動させて表示するよう制御する、
請求項１に記載の表示装置。
【請求項３】
前記第二の表示制御部は、前記第一の操作部が操作を受け付けたときに所定の条件を満たす場合は、前記第一の操作部が操作を受け付けたときに前記表示部に表示された地図に対応する画像を前記表示部に表示するよう制御する、
請求項１または２に記載の表示装置。
【請求項４】
前記所定の条件とは、前記表示部に表示された地図が所定の縮尺以上であることを特徴とする、
請求項３に記載の表示装置。
【請求項５】
前記所定の条件とは、前記表示部に表示された地図に対応する画像の枚数が所定の枚数以下であることを特徴とする、
請求項３に記載の表示装置。
【請求項６】
前記取得部は、地名情報と関連付けられた画像を取得し、
前記所定の条件とは、前記表示部に表示された地図に対応する画像に関連付けられた地名情報が同一のカテゴリに属す場合であることを特徴とする、
請求項３に記載の表示装置。
【発明の詳細な説明】
【技術分野】
【０００１】
本発明は表示装置に関する。特に使用者の操作により表示内容を変更できる表示装置に関する。
【背景技術】
【０００２】
地図表示可能な、デジタルカメラが知られている。例えば、特許文献１は、ズームボタンおよびＭＥＮＵ／ＯＫボタンにより地図上のルートを特定し、縮尺情報および平均移動速度を入力することで、ルートの距離および所要時間を表示させることができるデジタルカメラを開示している。
【先行技術文献】
【特許文献】
【０００３】
【特許文献１】特開2005-62048号公報
【発明の概要】
【発明が解決しようとする課題】
【０００４】
特許文献１に開示の地図モードの操作手段は、通常のデジタルカメラの機能として装備されるズームボタンを使用するため、新たな機構は不要であるとしている。しかしながら、ズームボタンを操作すると、地図上のルートを特定し、縮尺情報および平均移動速度を入力するという動作を実行するというものであり、ズームボタン本来の動作とは使用感覚の異なる動作となる。そのため、使用者が直感的な操作をできず、使い勝手が悪いという課題があった。
【０００５】
本発明は上記課題を鑑みてなされたものであり、使用者にとって直感的な操作で使いやすい表示装置を提供することを目的とする。
【課題を解決するための手段】
【０００６】
上記課題を解決するために本発明の撮像装置は、表示部と、画像を記憶する記憶部と、使用者による操作を受け付ける第一の操作部と、第一のモードと、第二のモードとを選択するモード選択部と、第一のモードのときは、記憶部に記憶された画像を表示部に表示するよう制御し、第一の操作部が操作を受け付けると、表示部に表示された画像を拡大／縮小表示するよう制御する第一の表示制御部と、第二のモードのときは、地図画像を表示部に表示するよう制御し、第一の操作部が操作を受け付けたときは、表示部に表示された地図画像の縮尺を大／小表示するよう制御する第二の表示制御部とを備える。
【発明の効果】
【０００７】
本発明によれば、使用者にとって直感的な操作で使いやすい表示装置を提供することができる。
【図面の簡単な説明】
【０００８】
【図１】デジタルカメラ１００の電気的構成図
【図２】デジタルカメラ１００の背面構成図
【図３】再生モードを説明するためのフローチャート
【図４】ＭＡＰ再生モードのイメージ図
【図５】通常再生モードの操作テーブルを表す図
【図６】ＭＡＰ再生モードの操作テーブルを表す図
【図７】通常再生モードのズーム操作のイメージ図
【図８】通常再生モードの十字操作のイメージ図
【図９】ＭＡＰ再生モードのズーム操作のイメージ図
【図１０】ＭＡＰ再生モードの十字操作のイメージ図
【発明を実施するための形態】
【０００９】
〔１．デジタルカメラの構成〕
実施の形態１のデジタルカメラ１００は、地図および静止画を表示させる機能を有し、各種ユーザ操作によって、地図と静止画を関連させて表示させることができる。デジタルカメラ１００の構成および動作を説明する。
【００１０】
〔１−１．構成〕
以下図を用いてデジタルカメラ１００の構成を説明する。
【００１１】
〔１−１−１．デジタルカメラの構成〕
図１は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは前処理部（ＡＦＥ：Analog Front End）１２１や画像処理部１２２において各種処理を施される。画像データはフラッシュメモリ１４２やメモリカード１４０に記憶される。フラッシュメモリ１４２やメモリカード１４０に記憶された画像データは、使用者による操作部１５０の操作を受け付けて液晶ディスプレイ（ＬＣＤ）１２３上に再生表示される。
【００１２】
光学系１１０は、フォーカスレンズ１１１やズームレンズ１１２、絞り１１３、シャッタ１１４等により構成される。図示していないが、光学系１１０は、光学式手ぶれ補正レンズＯＩＳ（Optical Image Stabilizer）を含んでいてもよい。なお、光学系１１０を構成する各種レンズは何枚から構成されるものでも、何群から構成されるものでもよい。
【００１３】
フォーカスレンズ１１１は焦点距離の調節に用いられる。ズームレンズ１１２は拡大縮小倍率の調節に用いられる。絞り１１３は、ＣＣＤイメージセンサに入射する光量の調節に用いられる。シャッタ１１４は、ＣＣＤイメージセンサに入射する光の露出時間を調節する。フォーカスレンズ１１１、ズームレンズ１１２、絞り１１３、シャッタ１１４は、それぞれに対応したＤＣモータやステッピングモータ等の駆動手段（不図示）により、コントローラ１３０から通知された制御信号に従って駆動される。
【００１４】
ＣＣＤイメージセンサ１２０は光学系１１０を通して形成された被写体像を撮像して画像データを生成する。ＣＣＤイメージセンサ１２０は、一定時間ごとに新しいフレームの画像データを生成する。また、ＣＣＤイメージセンサ１２０は電子シャッタ動作により露出光量を調節する。なお本発明においては、ＣＣＤイメージセンサ１２０に代えて、例えばＣＭＯＳイメージセンサやＮＭＯＳイメージセンサなど、他の撮像素子を用いても良い。
【００１５】
前処理部１２１は、ＣＣＤイメージセンサ１２０で生成された画像データに対して、相関二重サンプリング、ゲイン調整等の処理を実行する。また、アナログ形式の画像データからデジタル形式の画像データへの変換を施す。その後、前処理部１２１は画像データを画像処理部１２２に出力する。
【００１６】
画像処理部１２２は、画像データに対して各種の処理を施す。各種処理としては、ガンマ補正、ホワイトバランス補正、ＹＣ変換処理、電子ズーム処理、圧縮処理、伸張処理等が挙げられるが、これらに限定されるものではない。また、これらの一部を欠く構成としてもよい。画像処理部１２２は、ハードワイヤードな電子回路で構成してもよいし、プログラムを用いたマイクロコンピュータなどで構成してもよい。またコントローラ１３０などとともに１つの半導体チップで構成してもよい。
【００１７】
コントローラ１３０は、デジタルカメラ１００全体の動作を統括制御する。コントローラ１３０は、プログラム等の情報を格納するＲＯＭ（不図示）や、プログラム等の情報を処理するＣＰＵ（不図示）などにより構成される。ＲＯＭは、フォーカス制御や露出制御に関するプログラムの他、デジタルカメラ１００全体の動作を統括制御するためのプログラムを格納している。
【００１８】
コントローラ１３０は、ハードワイヤードな電子回路で構成してもよいし、マイクロコンピュータなどで構成してもよい。また、画像処理部１２２などと共に1つの半導体チップで構成してもよい。また、ＲＯＭはコントローラ１３０の内部構成である必要はなく、コントローラ１３０の外部に備わったものでもよい。
【００１９】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００２０】
フラッシュメモリ１４２は、画像データ等を記憶するための内部メモリとして機能する。コントローラ１３０は、画像処理部１２２で処理される画像データをフラッシュメモリ１４２あるいはメモリカード１４０に記憶する。また、フラッシュメモリ１４２は、地図に関する情報が格納している。コントローラ１３０は、後述のＭＡＰ再生モードの際、フラッシュメモリ１４２から地図に関する情報を読み出し、液晶ディスプレイ１２３に表示させる。
【００２１】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００２２】
メモリカード１４０は、内部にフラッシュメモリ等の記憶部を備えた外部メモリである。メモリカード１４０は、画像処理部１２２で処理される画像データなどのデータを記憶可能である。本実施例では、外部メモリの一例としてメモリカード１４０を示すが、本発明はこれには限らない。例えば、光ディスク等の記憶媒体を外部メモリとしてもよい。
【００２３】
操作部１５０は、デジタルカメラ１００の外装に備わっている操作釦や操作ダイヤルの総称であり、使用者による操作を受け付ける。例えば図２に示すように、レリーズ釦２０１や、ズームダイヤル２０２、選択釦２０３などがこれにあたる。操作部１８０は使用者による操作を受け付けると、コントローラ１５０に種々の動作指示信号を通知する。
【００２４】
液晶ディスプレイ１２３は、デジタルカメラ１００の背面に備わる。液晶ディスプレイ１２３は、画像処理部１２２にて処理された画像データに基づく画像を表示する。液晶ディスプレイ１２３が表示する画像には、スルー画像や記憶画像がある。スルー画像は、ＣＣＤイメージセンサ１２０により一定時間ごとに生成される新しいフレームの画像を連続して表示する画像である。使用者は、液晶ディスプレイ１７０に表示されるスルー画像を参照することにより、被写体の構図を確認しながら撮影できる。記憶画像は、メモリカード１４０やフラッシュメモリ１４２に記憶された画像である。液晶ディスプレイ１２３は、使用者の操作に応じて、すでに記憶した画像データに基づく画像を表示する。また、液晶ディスプレイ１２３は、画像の他、デジタルカメラ１００の設定条件等を表示可能である。
【００２５】
ジャイロ１６０は、デジタルカメラ１００の単位時間あたりの角度変化すなわち角速度に基づいてヨーイング方向のぶれ・ピッチング方向のぶれを検出する。ジャイロ１６０は、検出したぶれの量を示すジャイロ信号をコントローラ１３０に出力する。
【００２６】
〔１−１−２．デジタルカメラの背面構成〕
図２は、デジタルカメラ１００の背面構成図である。デジタルカメラ１００の動作概要を、図２を用いて説明する。操作部１５０は、デジタルカメラ１００の外装に備わっている操作釦や操作レバーの総称であり、使用者による操作を受け付ける。例えば図２に示したレリーズ釦２０１や、ズームレバー２０２、電源釦２０３、選択釦２０４、決定釦２０５などがこれにあたる。操作部１５０は使用者による操作を受け付けると、コントローラ１３０に種々の動作指示信号を通知する。
【００２７】
レリーズ釦２０１は、二段押下式の押下釦である。レリーズ釦２０１が使用者により半押し操作されると、コントローラ１３０はＡＦ動作やＡＥ動作などを実行する。また、レリーズ釦２０１が使用者により全押し操作されると、コントローラ１３０は、押下操作のタイミングに撮像された画像データを記録画像としてメモリカード１４０等に記録する。
【００２８】
ズームレバー２０２は、使用者により操作されるとコントローラ１３０にズームレンズ１１２を駆動するための動作指示信号を通知する。すわなち、ズームレバー２０２が広角端に操作されると、コントローラ１３０は、被写体を広角で捉えられるようにズームレンズ１１２を駆動する。同様に、ズームレバー２０２が望遠端に操作されると、コントローラ１３０は、被写体を望遠で捉えられるようにズームレンズ１１２を駆動する。ここでズームレバーを望遠端側に操作することをズームイン操作。広角端側に操作することをズームアウト操作と呼ぶ。以上は、デジタルカメラ１００が撮影モードにあるときのズームレバー２０２の操作の説明である。再生モードにあるときのズームレバー２０２の操作については後述する。
【００２９】
電源釦２０３は、デジタルカメラ１００を構成する各部への電力供給をＯＮ/ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００３０】
選択釦２０４は、上下左右方向に設けられた押下式釦である。使用者は、選択釦２０４のいずれかの方向を押下することにより、液晶ディスプレイ１２３に表示される各種条件項目を選択することができる。
【００３１】
決定釦２０５は、押下式釦である。デジタルカメラ１００が撮影モードあるいは再生モードにあるときに、決定釦２０５が使用者により押下されると、コントローラ１３０は液晶ディスプレイ１２３にメニュー画面を表示する。メニュー画面は、撮影/再生のための各種条件を設定するための画面である。決定釦２０５が各種条件の設定項目が選択されているときに押下されると、コントローラ１３０は、選択された項目の設定を確定する。
【００３２】
〔１−１−３．本発明との対応関係〕
液晶ディスプレイ１２３は、本発明の表示部の一例である。カードスロット１４１は、本発明の取得部の一例である。ズームレバー２０２は、本発明の第一の操作部の一例である。選択釦２０４や決定釦２０５は、本発明のモード選択部の一例である。コントローラ１３０は、本発明の第一の表示制御部の一例である。コントローラ１３０は、本発明の第二の表示制御部の一例である。選択釦２０４は、本発明の第二の操作部の一例である。デジタルカメラ１００は、本発明の表示装置の一例である。
【００３３】
〔１−２．再生モード動作について〕
図３を用いて、本発明におけるデジタルカメラ１００の再生モードを説明する。デジタルカメラ１００は再生モードとして、通常再生モードとＭＡＰ再生モードを備える。通常再生モードとは、フラッシュメモリ１４２やメモリカード１４０に蓄えられた静止画を再生するモードである。ＭＡＰ再生モードとは、静止画に付けられた位置情報や地名情報を元に、地図と静止画とを関連付けて表示させるモードである。本実施の形態１に係るデジタルカメラ１００において、静止画のヘッダ部には、ＧＰＳ等からの取得した位置情報が格納されている。しかしながら、本発明はこれに限定されず、静止画のＥＸＩＦ（Exchangeable Image File Format）に撮影した県名や市町村名、最寄りのランドマーク等の地名情報を格納するようにしてもよい。図４にＭＡＰ再生モードの一例を示す。液晶ディスプレイ１２３に地図が表示され、表示された地図に示された領域で撮影した静止画がある場合は撮影した場所をマークで表示する。なお、本発明におけるＭＡＰ再生モードは必ずしも地図とマークで表現される物に限定されない。例えばマークの代わりに静止画のサムネイル画像や縮小画像などで表示する形態でもよい。
【００３４】
デジタルカメラ１００は、撮影モードと再生モードとを切り替えることができる。デジタルカメラ１００が再生モードに遷移したとき（Ｓ３００）、使用者は選択釦２０４や決定釦２０５を操作することによりメニュー画面を表示させ、メニュー画面の中から通常再生モードに設定するか、ＭＡＰ再生モードに設定するかを選択できる（Ｓ３０１）。
以下、通常再生モードが設定された場合（Ｓ３０２）とＭＡＰ再生モードが設定された場合（Ｓ３０３）における、ユーザ操作に対するカメラの詳細動作を、図表を用いて説明する。
【００３５】
〔１−２−１．通常再生モードについて〕
図５に、通常再生モードの操作テーブルを示す。通常再生モードにおいては、通常表示状態と、拡大表示状態の二つの状態を有する。
【００３６】
まず、通常再生モードの通常表示状態時の操作について説明する。このとき、使用者はズームレバー２０２を操作することにより、液晶ディスプレイ１２３に表示されている静止画像を拡大／縮小させることができる。具体的には、使用者がズームレバー２０２を操作してズームインさせたときは、液晶ディスプレイ１２３に表示された静止画像の一部が拡大表示させる。一方、使用者がズームレバー２０２を操作してズームアウトさせたときは、液晶ディスプレイ１２３に表示された静止画像を縮小表示させる。このときに液晶ディスプレイ１２３に表示される画面のイメージ図を、図７に示す。
【００３７】
また、通常再生モードの通常表示状態時において、使用者は選択釦２０４を操作することにより、液晶ディスプレイ１２３に表示された静止画像を切り替えることができる。具体的には、使用者が選択釦２０４の左右キーを押下すると、現在表示中の画像の前後に記憶された画像を液晶ディスプレイ１２３に表示させる。本実施の形態１では、このとき使用者が選択釦２０４の上下キーを押下したときは何もしないようにしたが、本発明はこれに限定されず、例えば上キーは左キーと同様の機能を持たせ、下キーは右キーと同様の機能を持たせてもよい。
【００３８】
続いて、通常再生モードの拡大表示状態時の操作について説明する。拡大表示状態は、通常表示状態からズームインを行ったときの状態である。このとき、使用者はズームレバー２０２を操作することにより、液晶ディスプレイ１２３に表示されている静止画像を拡大／縮小させることができる。具体的には、使用者がズームレバー２０２を操作してズームインさせたときは、液晶ディスプレイ１２３に表示された静止画像の一部が拡大表示させる。一方、使用者がズームレバー２０２を操作してズームアウトさせたときは、液晶ディスプレイ１２３に表示された静止画像を縮小表示させる。このときに液晶ディスプレイ１２３に表示される画面のイメージ図を、図７に示す。
【００３９】
また、通常再生モードの拡大表示状態時において、使用者は選択釦２０４を操作することにより、液晶ディスプレイ１２３に拡大表示されたズームイン画像の表示位置を移動させることができる。具体的には、使用者が選択釦２０４の上下左右キーを押下すると、現在の拡大表示部分を上下左右方向に移動させて液晶ディスプレイ１２３に表示させる。このときに液晶ディスプレイ１２３に表示される画面のイメージ図を、図８に示す。
【００４０】
〔１−２−２．ＭＡＰ再生モードについて〕
図６に、ＭＡＰ再生モードの操作テーブルを示す。ＭＡＰ再生モードにおいては、通常ＭＡＰ表示状態と、特殊ＭＡＰ表示状態の二つの状態を有する。
【００４１】
まず、ＭＡＰ再生モードの通常ＭＡＰ表示状態時の操作について説明する。このとき、使用者はズームレバー２０２を操作することにより、液晶ディスプレイ１２３に表示されている地図の縮尺を大きく／小さくさせることができる。具体的には、使用者がズームレバー２０２を操作してズームインさせたときは、液晶ディスプレイ１２３により大きい縮尺の地図を表示させる（詳細地図に切り替える）。一方、使用者がズームレバー２０２を操作してズームアウトさせたときは、液晶ディスプレイ１２３により小さい縮尺の地図を表示させる（広域地図に切り替える）。図９において、画面Ｄ９００から画面Ｄ９０１が液晶ディスプレイ１２３に表示されているときの操作がこれを示している。以上のように、デジタルカメラ１００のＭＡＰ再生モードにおいて、使用者は、ズームレバー２０２を操作することにより、地図縮尺の拡大・縮小を実行することができる。地図縮尺を拡大させるとき、地図内容が詳細になるため、あたかも画像をズームインしたかのような使用感覚で、詳細地図が液晶ディスプレイ１２３に表示される。同様に、地図縮尺を縮小させるとき、地図内容が広域になるため、あたかも画像をズームアウトしたかのような使用感覚で、広域地図が液晶ディスプレイ１２３に表示される。このように、画像のズームイン／ズームアウトの操作と、地図縮尺の拡大／縮小の操作とを対応させることで、使用者にとって直感的でわかりやすい操作が可能となる。操作が直感的でわかりやすいため、使用者はどの地域でどのような写真を撮影したかを容易に知ることができる。
【００４２】
また、ＭＡＰ再生モードの通常ＭＡＰ表示状態時において、使用者は選択釦２０４を操作することにより、液晶ディスプレイ１２３に表示された地図の表示位置を移動させることができる。具体的には、使用者が選択釦２０４の上下左右キーを押下すると、現在表示中の地図の表示位置に基づいて、それぞれ北南西東方向に表示位置をシフトさせる。このときに液晶ディスプレイ１２３に表示される画面のイメージ図を、図１０に示す。
【００４３】
続いて、ＭＡＰ再生モードの特殊ＭＡＰ表示状態時の操作について説明する。特殊ＭＡＰ表示状態は、通常ＭＡＰ表示状態で表示された地図に関連した静止画情報が所定の条件を満たすときの状態である。本実施の形態１においては、所定の条件として、液晶ディスプレイ１２３に表示された地図が所定の縮尺以上である場合を例示する。
【００４４】
このとき、使用者がズームレバー２０２を操作してズームインさせたときは、液晶ディスプレイ１２３に、ズームイン操作直前に表示された地図の範囲内の位置情報を有する静止画のサムネイル一覧画面を表示させる。使用者は、サムネイル一覧画面の中から、所望の静止画を選択釦２０４を操作して選択し、決定釦２０５を押下することで、その選択した静止画を液晶ディスプレイ１２３に表示させることができる。これによって、使用者は地図が表示されている状態からより少ない操作回数で所望の画像を液晶ディスプレイ１２３に表示させることが可能となる。一方、使用者がズームレバー２０２を操作してズームアウトさせたときは、液晶ディスプレイ１２３により小さい縮尺の地図を表示させる（広域地図に切り替える）。図９において、画面Ｄ９０２から画面Ｄ９０４が液晶ディスプレイ１２３に表示されているときの操作がこれを示している。
【００４５】
また、ＭＡＰ再生モードの通常ＭＡＰ表示状態時において、使用者は選択釦２０４を操作することにより、液晶ディスプレイ１２３に表示された地図の表示位置を移動させることができる。具体的には、使用者が選択釦２０４の上下左右キーを押下すると、現在表示中の地図の表示位置に基づいて、それぞれ北南西東方向に表示位置をシフトさせる。このときに液晶ディスプレイ１２３に表示される画面のイメージ図を、図１０に示す。
【００４６】
〔２．その他の実施形態〕
本発明は上記実施の形態に限定されず、様々な実施の形態が考えられる。以下、他の実施の形態をまとめて記載する。
【００４７】
上記実施の形態１のデジタルカメラ１００では、地図と静止画とを関連付けて表示させるようにしたが、本発明はこれに限定されない。地図と動画とを関連付けて表示させるようにしてもよい。さらに、関連づけられる動画は、一つの動画を代表画像で表示させるようにしても良い。また、例えば、移動しながら動画を撮影した場合において、移動軌跡を線や複数枚の代表画像などで表現しても良い。動画の場合、動画を撮影した位置情報や、撮影した県名や市町村名、最寄りのランドマーク等の地名情報は動画の管理ファイル部分に格納するようにしても良いし、動画の本体に埋め込むようにしても良い。
【００４８】
また、上記実施の形態１のデジタルカメラ１００では、ＭＡＰ再生モードの特殊ＭＡＰ表示状態時において、液晶ディスプレイ１２３に、ズームイン操作直前に表示された地図の範囲内の位置情報を有する静止画のサムネイル一覧画面を表示させるようにしたが、本発明はこれに限定されない。すなわち、ズームアウト操作により地図縮尺を大きくしていって、例えば世界地図に至ったら、次にサムネイル画面を表示するようにしてもよい。
【００４９】
また、上記実施の形態１のデジタルカメラ１００において、サムネイル一覧画面に移行する前に、使用者にサムネイル一覧画面に移行してもよいか選択させるようにしてもよい。これによって、使用者が、地図で表示される地域に含まれる静止画像を知りたいのではなく、静止画像の撮影場所をより詳しく知りたい場合などは、サムネイル一覧画面を表示するのではなく、更に地図縮尺を拡大することが可能になるという利点がある。
【００５０】
また、上記実施の形態１のデジタルカメラ１００において、所定の条件として、液晶ディスプレイ１２３に表示された地図が所定の縮尺以上である場合を例示したが、本発明はこれに限定されない。例えば、所定の条件として、液晶ディスプレイ１２３に表示された地図の範囲内の位置情報を有する静止画が所定の枚数以下である場合であってもよい。また、所定の条件として、液晶ディスプレイ１２３に表示された地図に対応する画像に関連付けられた地名情報が同一のカテゴリに属す場合であってもよい。例えば、表示された地図に対応する画像に関連付けられた地名情報がすべて「大阪府」に属する場合などがこれに相当する。これにより、同一カテゴリに含まれる画像のサムネイル一覧画面を表示することができる。
【００５１】
また、上記実施の形態１のデジタルカメラ１００において、液晶ディスプレイ１２３に表示された地図が所定の縮尺以上である場合を例示したが、本発明はこれに限定されない。液晶ディスプレイ１２３に表示された地図が所定の縮尺以下である場合でもよい。このとき例えば、図９の画面Ｄ９００からズームアウト操作したときにサムネイル一覧画面を表示するようにすればよい。このときのサムネイル一覧画像は、メモリカード１４０に記憶された全画像を表示するようにしてもよい。
【００５２】
以上により、デジタルカメラ１００は、使用者にとって直感的な操作で使いやすい。
【産業上の利用可能性】
【００５３】
本発明はデジタルカメラへの適用に限定されない。すなわち、地図情報を搭載したムービーカメラ、携帯電話などの表示装置に本発明は適用できる。
【符号の説明】
【００５４】
１００    デジタルカメラ
１１１    フォーカスレンズ
１１２    ズームレンズ
１１３    絞り
１１４    シャッタ
１２０    ＣＣＤイメージセンサ
１２１    ＡＦＥ（Analog Front End）
１２２    画像処理部
１２３    液晶ディスプレイ
１２４    バッファメモリ
１３０    コントローラ
１４０    メモリカード
１４１    カードスロット
１４２    フラッシュメモリ
１５０    操作部
１６０    ジャイロセンサ
２０１    レリーズ釦
２０２    ズームレバー
２０３    電源釦
２０４    選択釦
２０５    決定釦
【図１】
2011197056.tif 000003
【図２】
2011197056.tif 000004
【図３】
2011197056.tif 000005
【図４】
2011197056.tif 000006
【図５】
2011197056.tif 000007
【図６】
2011197056.tif 000008
【図７】
2011197056.tif 000009
【図８】
2011197056.tif 000010
【図９】
2011197056.tif 000011
【図１０】
2011197056.tif 000012